【事件の表示】
　特願２０１４−５４９２７６「セミコマンド式弁システムを備える往復式圧縮機、および往復式圧縮機の容量を調節する方法」拒絶査定不服審判事件〔平成２５年　７月　４日国際公開、ＷＯ２０１３／０９７００６、平成２７年　３月　５日国内公表、特表２０１５−５０７１２０〕について、次のとおり審決する。
【結　論】
　本件審判の請求は、成り立たない。
【理　由】
第１　手続の経緯
　本願は、２０１２年（平成２４年）１１月２８日（パリ条約による優先権主張外国庁受理２０１１年１２月２６日、ブラジル国）を国際出願日とする特許出願であって、平成２９年８月３０日付けで拒絶査定がなされ、これに対し、同年１２月２７日に拒絶査定不服審判が請求されるとともに、その審判請求と同時に手続補正がなされたものである。
　
第２　本願発明について
１　本願発明
　本願の請求項１ないし７に係る発明は、平成２９年１２月２７日にされた手続補正により補正された特許請求の範囲の請求項１ないし７に記載された事項により特定されるものであるところ、その請求項１に係る発明（以下「本願発明」という。）は、その請求項１に記載された事項により特定される、次のとおりのものである。
　　
「【請求項１】
　セミコマンド式弁システムを備える往復式圧縮機にして、少なくとも１つのシリンダ（１）と、少なくとも１つのピストン（２）と、少なくとも１つの圧縮室（３）と、吸込オリフィス（７）上で作動する少なくとも１つの吸込弁（７１）および吐出オリフィス（８）上で作動する少なくとも１つの吐出弁（８１）と、少なくとも１つの選択的に起動される磁場生成要素（７２、８２）とを備える往復式圧縮機であって、
　前記吸込弁（７１）および前記吐出弁（８１）が、開放状態であるようにプリストレスを受け、かつ少なくとも１つの鉄製部位を備え、
　前記吸込弁（７１）および前記吐出弁（８１）が、前記磁場生成要素（７２、８２）を起動させることによって開放状態から閉鎖状態に選択的に切り替えられ、
　前記吸込弁（７１）および前記吐出弁（８１）とそれぞれの磁場生成要素（７２、８２）とが、少なくとも１つの弁プレート（６）上／内に配設され、
　前記吸込弁（７１）および前記吐出弁（８１）の両方またはいずれか一方を、前記往復式圧縮機の吸込工程または吐出工程における所定期間中に開放状態または閉鎖状態に設定して、前記往復式圧縮機の容量を調節することを特徴とする、往復式圧縮機。」
　
第３　原査定の拒絶の理由
　原査定の拒絶の理由は、この出願の請求項１−３に係る発明は、本願の優先権主張の日（以下「優先日」という。）前に日本国内又は外国において、頒布された又は電気通信回線を通じて公衆に利用可能となった下記の引用文献２に記載された発明、引用文献５に記載された発明及び周知技術に基づいて、その出願前にその発明の属する技術の分野における通常の知識を有する者（以下「当業者」という。）が容易に発明をすることができたものであるから、特許法２９条２項の規定により特許を受けることができない、というものである。
　また、この出願の請求項４，５に係る発明は、本願の優先日前に日本国内又は外国において、頒布された又は電気通信回線を通じて公衆に利用可能となった下記の引用文献２に記載された発明、引用文献４に記載された発明、引用文献５に記載された発明及び周知技術に基づいて、当業者が容易に発明をすることができたものであるから、特許法２９条２項の規定により特許を受けることができない、というものである。
　
引用文献１.特開昭５７−０７９２８７号公報（周知技術を示す文献）
引用文献２.特開平０４−０２７７７８号公報
引用文献３.特開２００６−０９７５９２号公報（周知技術を示す文献）
引用文献４.特開２００３−５６７４１号公報
引用文献５.特開昭６１−０５５３８２号公報
　
第４　引用文献の記載及び引用発明
１　引用文献２の記載
　引用文献２には、以下の事項が記載されている（下線は、当審で付与した。）。
（１）「一般に、
レシプロ式の空気圧縮機
吸入弁からシリンダ内に吸入した空気をピストンによって圧縮し、この空気を吐出弁より圧縮空気貯蔵タンク等へ送り込む
　
（２）「まず、第１図ないし第４図によって第１の実施例の空気圧縮機を説明する。
　第１図において、符号１は空気圧縮機である。この空気圧縮機１は、
シリンダ２及びクランク室３より構成されており、その上部には弁部材４を介してヘッド５が取り付けられている
　ここで、弁部材４の構造を第２図によって説明する。
　弁座１０には、ヘッド５に形成された吸入室６及び吐出室７とシリンダ２内とにそれぞれ連通する流路１１，１２が形成されており、この流路１１，１２には、それぞれ、吸入弁１３及び吐出弁１４がそれぞれ設けられている。これら吸入弁１３及び吐出弁１４は、それぞれ弁体１５、１６と弁受け１７，１８とから構成されたもので、吸入弁１３はシリンダ２側に、吐出弁１４は吐出室７側に設けられている。
　これら
吸入弁１３及び吐出弁１４の弁体１５，１６及び弁受け１７，１８はそれぞれボルト２０，２０によって一端部が弁座１０に固定
　ここで、
弁体１５及び１６は
金属材料から形成され
　また、それぞれの弁受け１７及び１８の先端部近傍には、電磁石（移動手段）Ｍｇ１，Ｍｇ４が設けられており、
弁座１０には流路１１，１２の弁体１５，１６側の開口部近傍に、電磁石Ｍｇ２，Ｍｇ３が設けられている。
これら電磁石Ｍｇ１，Ｍｇ２，Ｍｇ３，Ｍｇ４は
弁体１５及び１６を吸引する
　上記のような弁部４を設けた空気圧縮機１のシリンダ２の内部にはピストン２０が上下方向へ摺動自在に嵌合されている。このピストン２０には、水平方向に連結ピン２１が設けられており、連接棒２２の一端部がベアリング２３を介して連結されている。」（第３ページ左上欄第１１行〜左下欄第１７行）
　
（３）「そして、制御部４２は、この検知結果に基づいて
電磁石Ｍｇ１，Ｍｇ２，Ｍｇ３，Ｍｇ４へ選択的にそれぞれ制御電流を供給
磁力の発生を制御する
　
（４）「ここで、前記制御部４２による電磁石Ｍｇ１，Ｍｇ２，Ｍｇ３，Ｍｇ４の制御を、第４図によって、ピストン２０が１サイクル移動するときの各行程別に説明する。
（１）膨張行程（クランク軸の回転角度がａからｂへ変化するとき）
　回転角度検知センサ４１が、クランク軸２４の回転角度がａからｂの範囲であることを検知してその検知結果を出力すると、この検知結果に基づいて制御部４２から電磁石Ｍｇ２及びＭｇ３へ制御電流が供給され、電磁石Ｍｇ２及びＭｇ３がそれぞれＯＮとなり、電磁石Ｍｇ１及びＭｇ４がそれぞれＯＦＦとなる。
　これにより、電磁石Ｍｇ２及びＭｇ３に磁力が発生し、
吸入弁１３の弁体１５及び吐出弁１４の弁体１６が
弁座１０に当接して、それぞれの流路１１及び１２が閉鎖される。
（２）吸入行程（クランク軸の回転角度がｂからｃへ変化するとき）
　回転角度検知センサ４１が、クランク軸２４の回転角度がｂからｃの範囲であることを検知してその検知結果を出力すると、この検知結果に基づいて制御部４２から電磁石Ｍｇ１及びＭｇ３へ制御電流が供給され、電磁石Ｍｇ１及びＭｇ３がそれぞれＯＮとなり、電磁石Ｍｇ２及びＭｇ４がそれぞれＯＦＦとなる。
　これにより、電磁石Ｍｇ１及びＭｇ３に磁力が発生し、
弁体１５が電磁石Ｍｇ１の磁力によって吸引されて弁受け１７方向へ移動し、流路１１が開口され、弁体１６が電磁石Ｍｇ３の磁力によって吸引されて弁座１０に当接したままとなり、流路１２が閉鎖された状態に維持される。
（３）圧縮行程（クランク軸の回転角度がｃからｄへ変化するとき）
　回転角度検知センサ４１が、クランク軸２４の回転角度がｃからｄの範囲であることを検知してその検知結果を出力すると、この検知結果に基づいて制御部４２から電磁石Ｍｇ２及びＭｇ３へ制御電流が供給され、電磁石Ｍｇ２及びＭｇ３がそれぞれＯＮとなり、電磁石Ｍｇ１及びＭｇ４がそれぞれＯＦＦとなる。
　これにより、電磁石Ｍｇ２及びＭｇ３に磁力が発生し、
弁体１５及び１６が
弁座１０に当接して
それぞれの流路１１及び１２が閉鎖される。
（４）吐出行程（クランク軸の回転角度がｄからａへ変化するとき）
　回転角度検知センサ４１が、クランク軸２４の回転角度がｄからａの範囲であることを検知してその検知結果を出力すると、この検知結果に基づいて制御部４２から電磁石Ｍｇ２及びＭｇ４へ制御電流が供給され、電磁石Ｍｇ２及びＭｇ４がそれぞれＯＮとなり、電磁石Ｍｇ１及びＭｇ３がそれぞれＯＦＦとなる。
　これにより、電磁石Ｍｇ２及びＭｇ４に磁力が発生し、
弁体１５が電磁石Ｍｇ２の磁力によって吸引されて弁座１０に当接したままとなり、流路１１が閉鎖された状態に維持され、弁体１６が電磁石Ｍｇ４の磁力によって吸引されて弁受け１８方向へ移動し、流路１２が開口される。
　このように、この空気圧縮機１は、ピストン２０が上死点より下方に移動するときに、シリンダ２内の圧力が吐き出し圧Ｐ１から大気圧Ｐ２まで下がるまでは、吸入弁１３及び吐出弁１４を閉鎖させておき、シリンダ２内の圧力が大気圧Ｐ２となる時点にて、迅速に吸入弁１３の弁体１５を開口させ、シリンダ２内へ空気を流入させ、ピストン２０が下死点を通過して上方へ移動するときに、再び吸入弁１３及び吐出弁１４の弁体１５，１６を閉鎖させて、シリンダ２内の圧力が吐出圧Ｐ１に達する時点にて、迅速に
吐出弁１４の弁体１６を開口させて、シリンダ２内の空気を図示しない圧縮空気貯蔵タンクへ送り込ませる
　すなわち、この空気圧縮機１は、クランク軸２４の回転角度に応じて吸入弁１３及び吐出弁１４の開閉のタイミングをとり、
制御部４２によって制御される電磁石Ｍｇ１，Ｍｇ２，Ｍｇ３，Ｍｇ４によって吸入弁１３及び吐出弁１４のそれぞれの弁体１５及び１６を極めて迅速に移動させ
　
（５）「なお、上記第１及び第２の実施例では、
各弁体１５及び１６を磁力によって吸引して開閉させるそれぞれ一対づつの電磁石Ｍｇ１，Ｍｇ２及びＭｇ３，Ｍｇ４を設けたが、弁体１５及び１６をそれぞれ弁受け１７及び１８側あるいは弁座１０側へ付勢させておき、この付勢方向と逆側にそれぞれ一つの電磁石を設け、弁体１５及び１６を付勢に反して移動させるようにしても良く
　図に示すように、弁体１５と弁受け１７との間には、それぞれの先端部に引っ張りばね５０が設けられており、この引っ張りばね５０によって弁体１５が常に弁受け１７側へ付勢されている。また、弁座１０側には一つの電磁石Ｍｇ２が設けられている。
　つまり、
電磁石Ｍｇ２へ制御電流が供給されてこの電磁石Ｍｇ２に磁力が発生すると、弁体１５が引っ張りばね５０による付勢に反して弁座１０方向へ吸引されて弁座１０へ当接し
　また、引っ張りばね５０を使用する代わりに、弁体１５自体にばね性を持たせて、この弁体１５を弁座１０から離れた状態に支持させても良い。」（第６ページ左下欄第６行〜右下欄第９行）
　
２　引用発明
　上記１．（３）及び（４）の記載によると、電磁石Ｍｇ１，Ｍｇ２，Ｍｇ３，Ｍｇ４に選択的に制御電流を供給することにより、磁力の発生を制御し、吸入弁１３の弁体１５及び吐出弁１４の弁体１６を移動させるものであるから、空気圧縮機１は、「選択的に制御電流が供給される電磁石と電磁石により移動させられる吸入弁１３の弁体１５及び吐出弁１４の弁体１６」とを備えているといえる。
　また、上記１．（２）、（３）及び（４）に記載された空気圧縮機１は、吸入弁１３からシリンダ内に吸入した空気をピストン２０によって圧縮し、この空気を吐出弁１４より圧縮空気貯蔵タンクへ送り込むものであるから「レシプロ式の空気圧縮機」であるといえる。
　そして、上記１．（２）の記載、及び第１図、第２図の図示内容によると、シリンダ４の上部に弁部材４が取り付けられており、当該弁部材４を構成する弁座１０は、シリンダ２及びピストン２０との間に空間を形成していると解されるから、空気圧縮機１は、「弁座１０、シリンダ２及びピストン２０で囲まれる空間」を有しているといえる。
　また、上記１．（２）の記載によると、吸入弁１３の弁体１５及び吐出弁１４の弁体１６はそれぞれボルト２０，２０によって一端部が弁座１０に固定されており、当該弁体１５及び弁体１６を吸引する電磁石Ｍｇ２，Ｍｇ３は、弁座１０における流路１１，１２の弁体１５，１６側の開口部近傍に設けられているから、「吸入弁１３の弁体１５及び吐出弁１４の弁体１６の一端部がそれぞれ弁座１０にボルトで固定されるとともに、吸入弁１３の弁体１５及び吐出弁１４の弁体１６を吸引する電磁石Ｍｇ２，Ｍｇ３が弁座１０に設けられ」ているといえる。
　さらに、上記１．（５）には、上記１．（２）、（３）及び（４）に記載された第１の実施例における電磁石Ｍｇ１，Ｍｇ２及びＭｇ３，Ｍｇ４を設ける構成に代えて、弁体１５及び弁体１６をそれぞれ弁受け１７及び弁受け１８側へ付勢させておき、この付勢方向と逆側にそれぞれ１つの電磁石を設けることにより、弁体１５及び弁体１６を付勢に反して弁座１０方向へ吸引して弁座１０へ当接させるようにしてもよい旨が記載されており、「吸入弁１３の弁体１５及び吐出弁１４の弁体１６」が、「弁受け１７及び弁受け１８側へ付勢され」る点、「電磁石Ｍｇ２、Ｍｇ３に選択的に制御電流が供給されることによって弁受け１７及び弁受け１８側へ付勢された状態から弁座１０へ当接した状態に切り替えられ」る点が記載されているといえる。
　　
　したがって、前記引用文献２の記載事項（１）〜（５）及び図面の図示内容を総合すると、引用文献２には、次の発明（以下「引用発明」という。）が記載されていると認められる。
　
「選択的に制御電流が供給される電磁石Ｍｇ２、Ｍｇ３と電磁石Ｍｇ２、Ｍｇ３により移動させられる吸入弁１３の弁体１５及び吐出弁１４の弁体１６とを備えたレシプロ式の空気圧縮機にして、シリンダ２と、ピストン２０と、弁座１０、シリンダ２及びピストン２０で囲まれる空間と、流路１１に対応して設けられた吸入弁１３の弁体１５及び流路１２に対応して設けられた吐出弁１４の弁体１６と、選択的に制御電流が供給される電磁石Ｍｇ２，Ｍｇ３とを備えるレシプロ式の空気圧縮機であって、
　前記吸入弁１３の弁体１５及び吐出弁１４の弁体１６が、弁受け１７及び弁受け１８側へ付勢され、かつ金属材料から形成され、
　前記吸入弁１３の弁体１５及び吐出弁１４の弁体１６が、電磁石Ｍｇ２、Ｍｇ３に選択的に制御電流が供給されることによって弁受け１７及び弁受け１８側へ付勢された状態から弁座１０へ当接した状態に切り替えられ、
　前記吸入弁１３の弁体１５及び吐出弁１４の弁体１６の一端部がそれぞれ弁座１０にボルトで固定されるとともに、吸入弁１３の弁体１５及び吐出弁１４の弁体１６を吸引する電磁石Ｍｇ２，Ｍｇ３が弁座１０に設けられ、
　前記レシプロ式の空気圧縮機の膨脹行程において吸入弁１３の弁体１５及び吐出弁１４の弁体１６を弁座１０に当接させ、吸入行程において吸入弁１３の弁体１５を弁受け１７方向へ移動させるとともに吐出弁１４の弁体１６を弁座１０に当接させ、圧縮行程において吸入弁１３の弁体１５及び吐出弁１４の弁体１６を弁座１０に当接させ、吐出行程において吸入弁１３の弁体１５を弁座１０に当接させ、吐出弁１４の弁体１６を弁受け１８方向へ移動させるレシプロ式の空気圧縮機」
　
３　引用文献５の記載
　引用文献５には、以下の事項が記載されている（下線は、当審が付与した。）。
（１）「本発明の目的は、駆動軸の回転数を一定にしたまま流量、圧縮比を変化させることができ、しかもこの流量、圧縮比の変化が連続性を有し、微調整を可能にした往復動型圧縮装置及びその圧縮方法を提供するところにある。」（第２ページ右上欄第７行〜第１１行）
　
（２）「本実施例に係る往復動型圧縮装置はヒートポンプ用であるため、吸気通路１の端部の低温側熱源部と排気通路２の端部の高温側熱需要部とには熱交換器が配置され、吸気通路１、排気通路２に冷媒が流通する。吸気通路１、排気通路２はシリンダ３の頂部に開口形成された吸気口３Ａ、排気口３Ｂに接続され、これらの吸気口３Ａ、排気口３Ｂは吸気弁４、排気弁５で開閉される。吸気弁４、排気弁５にはソレノイド或いは油圧シリンダ等による弁駆動部６，７が連結され、これらの弁駆動部６，７によって構成される駆動手段で吸気弁４、排気弁５は強制的に開閉動せしめられる。
　シリンダ３内を往復動するピストン８はコンロッド９を介して駆動軸であるクランク軸１０に連結され、クランク軸１０は電動機等の駆動源によって回転せしめられる。」（第２ページ右下欄第３行〜第１９行）
　
（３）「第１図中、ピストン８が右動して上死点に達したとき、前記吸気弁４は開き、排気弁５は閉じる。次いでピストン８が左動し吸気行程が始まると、吸気通路１からシリンダ３内に冷媒が流入する。
ピストン８が下死点に達した後、ピストン８の右動による圧縮行程が開始するが、吸気弁４は直ちに閉動せず、必要とされる冷媒の流量と対応する位置までピストン８が達したときに吸気弁４は弁駆動部６によって閉動せしめられる。
尚、蓄え得る冷媒量はピストン８が下死点に達したときに吸気弁４を閉じることにより最大とすることができる。
　以上の通り吸気弁４の閉動によってシリンダ３内に所定の冷媒量が収容された後、引続きピストン８の圧縮行程が行われ、この間に冷媒は断熱圧縮される。ピストン８が必要とされる圧縮比と
対応する位置に達したときに前記弁駆動部７の駆動によって前記排気弁５が開く。
冷媒はピストン８の右動により排気通路２に送出される
　以上の
ピストン移動行程における吸気弁４、排気弁５の開閉動は前記操作盤１３で設定された冷媒の流量、圧縮比が得られるように行われる。操作盤１３で設定された流量、圧縮比に従って前記制御ボックス１２においてピストン移動程における吸気弁４、排気弁５の開閉タイミングが定められる。
　
第５　対比 
　以下、本願発明と引用発明とを対比する。
　引用発明の「レシプロ式の空気圧縮機」、「シリンダ２」、「ピストン２０」及び「弁座１０、シリンダ２及びピストン２０で囲まれる空間」は、それぞれ本願発明の「往復式圧縮機」、「シリンダ（１）」、「ピストン（２）」、「圧縮室（３）」に相当する。
　引用発明の「流路１１」及び「吸入弁１３の弁体１５」は、それぞれ本願発明の「吸込オリフィス（７）」及び「吸込弁（７１）」に相当し、引用発明の「流路１１に対応して設けられた吸入弁１３の弁体１５」は、吸入弁１３の弁体１５が、流路１１の端部を上から塞ぐように動作するものであるから、本願発明の「吸込オリフィス（７）上で作動する少なくとも１つの吸込弁（７１）」に相当する。同様に、引用発明の「流路１２」及び「吐出弁１４の弁体１６」は、本願発明の「吐出オリフィス（８）」及び「吐出弁（８１）」に相当し、引用発明の「流路１２に対応して設けられた吐出弁１４の弁体１６」は、本願発明の「吐出オリフィス（８）上で作動する少なくとも１つの吐出弁（８１）」に相当する。
　引用発明の「電磁石Ｍｇ２，Ｍｇ３」は、本願発明の「磁場生成要素（７２、８２）」に相当し、引用発明の「選択的に制御電流が供給される電磁石Ｍｇ２，Ｍｇ３」は、本願発明の「少なくとも１つの選択的に起動される磁場生成要素（７２、８２）」に相当する。
　引用発明の「前記吸入弁１３の弁体１５及び吐出弁１４の弁体１６が、弁受け１７及び弁受け１８側へ付勢され」るという事項は、弁体１５及び弁体１６が開放方向に付勢力を予め受けるように構成されるものであるから、本願発明の「前記吸込弁（７１）および前記吐出弁（８１）が、開放状態であるようにプリストレスを受け」るという事項に相当する。
　引用発明の「金属材料から形成され」るという事項は、本願発明の「少なくとも１つの鉄製部位を備え」るという事項と対比して、少なくとも１つの金属製部位を備える点において共通する。
　引用発明の「前記吸入弁１３の弁体１５及び吐出弁１４の弁体１６が、電磁石Ｍｇ２、Ｍｇ３に選択的に制御電流が供給されることによって弁受け１７及び弁受け１８側へ付勢された状態から弁座１０へ当接した状態に切り替えられ」るという事項は、本願発明の「前記吸込弁（７１）および前記吐出弁（８１）が、前記磁場生成要素（７２、８２）を起動させることによって開放状態から閉鎖状態に選択的に切り替えられ」るという事項に相当する。
　また、本願発明の「セミコマンド式弁システム」は一般的な用語とはいえず、本願の明細書等に特段の定義もないことから、本願の明細書の段落【００２２】、段落【００３０】〜段落【００３１】等に開示された、開放状態であるようにプレストレスを受け、選択的に起動される磁気生成要素により吸引されて開放状態から閉鎖状態に切り替えられる吸込弁及び吐出弁を備えたシステムを意味すると解されるところ、引用発明の「選択的に制御電流が供給される電磁石Ｍｇ２、Ｍｇ３と電磁石Ｍｇ２、Ｍｇ３により移動させられる吸入弁１３の弁体１５及び吐出弁１４の弁体１６」を備えたシステムは、前記のとおり開放状態であるようにプレストレスを受ける弁体１５及び弁体１６を、電磁石Ｍｇ２、Ｍｇ３に選択的に制御電流を供給することによって、閉鎖状態とするものであって、本願発明の「セミコマンド式弁システム」に相当するといえる。
　引用発明の「弁座１０」は、本願発明の「弁プレート（６）」に相当する。そして、引用発明の吸入弁１３の弁体１５及び吐出弁１４の弁体１６は、一端部が弁座１０にボルトで固定されるものであって、引用文献２の第２図、第８図も参酌すると、弁座１０上に設けられているといえ、また、引用発明の弁座１０に設けられる電磁石Ｍｇ２，Ｍｇ３は、同様に引用文献２の第２図、第８図を参酌すると、弁座１０内に設けられているといえる。そうすると、引用発明の「前記吸入弁１３の弁体１５及び吐出弁１４の弁体１６の一端部がそれぞれ弁座１０にボルトで固定されるとともに、吸入弁１３の弁体１５及び吐出弁１４の弁体１６を吸引する電磁石Ｍｇ２，Ｍｇ３が弁座１０に設けられ」るという事項は、本願発明の「前記吸込弁（７１）および前記吐出弁（８１）とそれぞれの磁場生成要素（７２、８２）とが、少なくとも１つの弁プレート（６）上／内に配設され」るという事項に相当する。
　引用発明の「前記レシプロ式の空気圧縮機の膨脹行程において吸入弁１３の弁体１５及び吐出弁１４の弁体１６を弁座１０に当接させ、吸入行程において吸入弁１３の弁体１５を弁受け１７方向へ移動させるとともに吐出弁１４の弁体１６を弁座１０に当接させ、圧縮行程において吸入弁１３の弁体１５及び吐出弁１４の弁体１６を弁座１０に当接させ、吐出行程において吸入弁１３の弁体１５を弁座１０に当接させ、吐出弁１４の弁体１６を弁受け１８方向へ移動させる」という事項は、本願発明の「前記吸込弁（７１）および前記吐出弁（８１）の両方またはいずれか一方を、前記往復式圧縮機の吸込工程または吐出工程における所定期間中に開放状態または閉鎖状態に設定して、前記往復式圧縮機の容量を調節する」という事項と対比して、吸込弁および吐出弁の両方を、開放状態または閉鎖状態に設定する点において共通する。
　
　したがって、本願発明と引用発明とは、
「セミコマンド式弁システムを備える往復式圧縮機にして、少なくとも１つのシリンダと、少なくとも１つのピストンと、少なくとも１つの圧縮室と、吸込オリフィス上で作動する少なくとも１つの吸込弁および吐出オリフィス上で作動する少なくとも１つの吐出弁と、少なくとも１つの選択的に起動される磁場生成要素とを備える往復式圧縮機であって、
　前記吸込弁および前記吐出弁が、開放状態であるようにプリストレスを受け、かつ少なくとも１つの金属製部位を備え、
　前記吸込弁および前記吐出弁が、前記磁場生成要素を起動させることによって開放状態から閉鎖状態に選択的に切り替えられ、
　前記吸込弁および前記吐出弁とそれぞれの磁場生成要素とが、少なくとも１つの弁プレート上／内に配設され、
　前記吸込弁および前記吐出弁の両方を、開放状態または閉鎖状態に設定する往復式圧縮機。」
である点で一致し、以下の点で相違する。 
　
［相違点１］
　吸込弁および吐出弁の金属製部位について、本願発明は「鉄製」であるのに対し、引用発明はこのような材料であるのか不明である点。
　
［相違点２］
　吸込弁および吐出弁を開放状態または閉鎖状態に設定する態様について、本願発明は「前記吸込弁（７１）および前記吐出弁（８１）の両方またはいずれか一方を、前記往復式圧縮機の吸込工程または吐出工程における所定期間中に開放状態または閉鎖状態に設定して、前記往復式圧縮機の容量を調節する」ものであるのに対し、引用発明はこのような態様を備えていない点。
　
第６　判断 
　上記相違点について、判断する。
［相違点１］について
　前記第４，１（２）の引用文献２の記載によると、引用発明の吸入弁１３の弁体１５及び吐出弁１４の弁体１６は金属材料から形成されるともに、電磁石から発生する磁力によって吸引されるものであるから、当該金属材料は磁力により吸引される物質、つまり磁性体から構成されていると考えることができる。そして、磁性体として鉄は代表的な物質ということができる。
　また、往復式圧縮機に用いられ、磁力で吸引される弁を鉄で形成することは、例えば、引用文献１の第１ページ右欄第３行〜第８行、引用文献３の段落【００１８】に記載されているように、本願の優先日前より周知の技術である。
　すると、引用発明の金属材料から形成される吸入弁１３の弁体１５及び吐出弁１４の弁体１６を、前記周知の技術にならい、磁性体の代表的な物質である鉄で形成することに格別の困難性はない。
　
［相違点２］について
　前記第４，３の引用文献５の記載によると、引用文献５には、吸気弁４及び排気弁５を駆動手段で強制的に開閉動させるものであって、ピストン８が下死点に達した後、ピストン８の右動による圧縮行程が開始されても、吸気弁４を直ちに閉動せずに必要とされる流量と対応する位置までピストン８が達したときに吸気弁４を閉動させ、その後、排気弁５を開き、冷媒を送出するものであって、設定された流量等にしたがって吸気弁４や排気弁５の開閉タイミングを定める点が記載されている。また、引用文献５に記載されたような往復式圧縮機において、排出する流量を調節するということは、圧縮機の容量を調節することと等価といえる。
　ここで、本願発明における往復式圧縮機の「吸込工程」、「吐出工程」について、本願の明細書等に特段の定義はないが、本願の明細書の段落【００３５】〜段落【００３８】によると、本願発明は、吸込弁７１および／または吐出弁８１をサイクル中の任意の時間に閉鎖させることを可能とし、吸込弁７１および／または吐出弁８１に生じる逆流を調節することによって、容量調節を行うものと解される。つまり、吸込弁７１が本来、閉じられるべき「ピストンが下死点から上死点まで移動する工程」において、吸込弁７１をすぐに閉鎖状態とせずに、所望の容量に応じた所定期間、開放状態として、逆流を生じさせた後、閉鎖状態とすることにより容量を調節するものと解され、同様に、吐出弁８１が本来、閉じられるべき「ピストンが上死点から下死点まで移動する工程」において、吐出弁８１をすぐに閉鎖状態とせずに、所望の容量に応じた所定期間、開放状態として、逆流を生じさせた後、閉鎖状態とすることにより容量を調節するものと解される。したがって、本願発明の「吸込弁（７１）および前記吐出弁（８１）の両方またはいずれか一方」を、「所定期間中に開放状態または閉鎖状態に設定」する往復式圧縮機の「吸込工程」、「吐出工程」とは、それぞれ「ピストンが上死点から下死点まで移動する工程」、「ピストンが下死点から上死点まで移動する工程」を意味すると解される。そうすると、引用文献５に記載された事項におけるピストン８が下死点に達した後に開始される圧縮行程は、本願発明の「吐出工程」に含まれるものと解される。
　してみると、引用文献５には、吸気弁４（本願発明の「吸込弁（７１）」に相当）を、ピストンが下死点に達した後に開始される圧縮行程（本願発明の「吐出工程」に相当）における所定期間中に開放状態に設定して、往復動型圧縮装置（本願発明の「往復式圧縮機」に相当）の流量（本願発明の「容量」に相当）を調節する点が記載されているといえる。
　また、開閉自在な吸込弁及び吐出弁を備えた往復式圧縮機において、電動機の回転数を変化させることなく容量を調節可能にするという課題は、例えば、特開昭５６−１５４１８５号公報の第１ページ左欄第１１行〜右欄第１５行に記載されているように、本願の優先日前より周知の課題である。
　そして、引用発明と引用文献５に記載された事項とは、ともに往復式圧縮機に関するものであって技術分野が関連するものであり、また、吸込側の流路及び吐出側の流路を選択的に開閉可能にするという作用、機能が共通する吸込弁及び吐出弁をともに備えるものである。さらに、前記したように開閉自在な吸込弁及び吐出弁を備えた往復式圧縮機において、電動機の回転数を変化させることなく容量を調節可能にするという課題は周知のものであるから、引用発明に内在している前記周知の課題を解決すべく、引用発明の吸入弁１３の弁体１５を、引用文献５に記載された事項に基づき、吐出工程における所定期間中に開放状態に設定して、往復式圧縮機の容量を調節することは当業者が容易に想到し得たものである。
　なお、引用文献２の第５ページ左上欄第１２行〜第１４行によると、引用発明は、吸入弁１３及び吐出弁１４の閉じ遅れをなくすために、選択的に制御電流を電磁石Ｍｇ２、Ｍｇ３に供給するものであって、圧縮行程においても速やかに「吸入弁１３の弁体１５及び吐出弁１４の弁体１６を弁座１０に当接させ」るものと解されるが、当該態様は、引用文献５に記載された流量の調節における流量を最大にする際の態様と同等といえ（引用文献５の第３ページ右上欄第１４行〜第１６行参照）、引用発明の圧縮行程において、引用文献５に記載された事項に基づき、容量を調節するにあたり、当該容量の調節を優先して、吸入弁１３の弁体１５の閉じを遅らせることに格別の困難性はない。
　してみると、前記したように引用発明に引用文献５に記載された事項を適用し、本願発明の前記相違点２に係る発明特定事項とすることは当業者が容易に想到し得たものである。
　
　そして、本願発明を全体としてみても、作用効果については、引用発明、引用文献５に記載された事項及び前記周知の技術から当業者が予測できる範囲のものである。
　
　そうすると、本願発明は、引用発明、引用文献５に記載された事項及び前記周知の技術に基づいて、当業者が容易に発明をすることができたものである。
　
第７　むすび
　以上のとおり、本願発明（請求項１に係る発明）は、特許法２９条第２項の規定により特許を受けることができない。
　そうすると、このような特許を受けることができない発明を包含する本願は、本願の他の請求項に係る発明について検討するまでもなく、拒絶されるべきものである。　
　よって、結論のとおり審決する。